(57)【要約】【課題】高圧ポンプにより加圧された燃料を貯留するコモンレールと、該コモンレールに貯留された燃料を噴射するインジェクタと、前記高圧ポンプ及びインジェクタの動作を制御する制御装置を備えたコモンレール式燃料噴射装置において、前記インジェクタに侵入する金属片、金属粉などの異物量を削減することができるコモンレール式燃料噴射装置を提供する。【解決手段】  高圧ポンプにより加圧された高圧燃料を貯留するコモンレールと、該コモンレールに貯留された燃料をエンジンの燃焼室に噴射するインジェクタと、前記高圧ポンプ及びインジェクタの動作を制御する制御装置と、を備えたコモンレール式燃料噴射装置において、  前記コモンレール中又はコモンレールからインジェクタに至る流路中であって、前記高圧燃料が滞留する位置に、磁力により異物を吸着する磁石体を有する。【選択図】  図３
2011127552.tif 000002
【特許請求の範囲】
【請求項１】
高圧ポンプにより加圧された高圧燃料を貯留するコモンレールと、該コモンレールに貯留された燃料をエンジンの燃焼室に噴射するインジェクタと、前記高圧ポンプ及びインジェクタの動作を制御する制御装置と、を備えたコモンレール式燃料噴射装置において、
前記コモンレール中又はコモンレールからインジェクタに至る流路中であって、前記高圧燃料が滞留する位置に、磁力により異物を吸着する磁石体を有することを特徴とするコモンレール式燃料噴射装置。
【請求項２】
前記磁石体を前記コモンレールから取り外し可能な部品に有することを特徴とする請求項１記載のコモンレール式燃料噴射装置。
【請求項３】
前記磁石体を前記コモンレールの長手方向端部に設けたプラグに取り付ける、又は該プラグを磁石体で形成することを特徴とする請求項２記載のコモンレール式燃料噴射装置。
【請求項４】
前記コモンレールとインジェクタとを接続する配管に、
ケーシングと、該ケーシングに形成された燃料の流出口と、中空部を有し前記コモンレールから中空部へ流入した燃料の圧力を受けて前記ケーシング内を摺動する弁体と、前記ケーシング内に形成され前記弁体が着座可能な形状を有する弁座と、前記ケーシング内に配され前記弁体を前記弁座から遠ざける方向に押圧する弾性体と、及び前記弁体に設けられた前記中空部と前記流出口とを連通する連通孔とを有するフローリミッタを設け、
前記フローリミッタの少なくとも一部を磁石体で形成したことを特徴とする請求項２又は３記載のコモンレール式燃料噴射装置。
【請求項５】
前記弁体の連通孔を構成する部分を磁石体で形成することを特徴とする請求項４記載のコモンレール式燃料噴射装置。
【請求項６】
前記コモンレールに貯留された高圧燃料の圧力と、前記インジェクタに供給される高圧燃料の圧力との差圧を測定する差圧計を設けたことを特徴とする請求項１〜４記載のコモンレール式燃料噴射装置。
【発明の詳細な説明】
【技術分野】
【０００１】
本発明は、高圧ポンプにより加圧された高圧燃料を貯留するコモンレールと、該コモンレールに貯留された燃料をエンジンの燃焼室に噴射するインジェクタと、前記高圧ポンプ及びインジェクタの動作を制御する制御装置と、を備えたコモンレール式燃料噴射装置に関するものであって、特に、前記インジェクタに侵入する金属片、金属粉などの異物量を削減することができるコモンレール式燃料噴射装置に関するものである。
【背景技術】
【０００２】
ディーゼルエンジン用の燃料噴射装置の１つとして、コモンレール式燃料噴射装置が知られている。コモンレール式燃料噴射装置は、コモンレールと呼ばれる容器に高圧化した燃料を蓄え、該コモンレールからエンジンの気筒ごとに設けられたインジェクタへ高圧燃料を供給するものである。
【０００３】
コモンレール式燃料噴射装置では、燃料タンクに貯留された燃料を高圧ポンプで加圧し、該加圧した燃料をコモンレールに送って高圧状態で貯留し、エンジンコントロールユニット（Ｅｎｇｉｎｅ  Ｃｏｎｔｒｏｌ  Ｕｎｉｔ：以下ＥＣＵと称する）からの指示により燃料噴射の必要があるインジェクタのノズルが開閉することで、当該インジェクタからコモンレールに貯留された燃料が噴射される。
【０００４】
コモンレール式燃料噴射装置を使用することで、エンジンの回転数に依存せずに燃料噴射の重要な要素である噴射圧力、噴射タイミングをそれぞれ独立に制御し、燃料の噴射量、噴射率を任意に調整することが可能であり、１燃焼サイクルにおける複数回噴射も可能となっている。さらに、高い圧力で噴射することで燃料が微粒化し、燃料と空気との混合性を向上させることも可能である。
【０００５】
しかしながら、コモンレール式燃料噴射装置を使用する際に、高圧ポンプの摺動面などで部品の剥がれや摩耗により発生する金属片や金属粉が燃料とともにインジェクタに流入する可能性がある。前記金属片や金属粉がインジェクタに流入することで、インジェクタの目詰まりが発生したり、インジェクタの摺動面の異常摩耗若しくは固着が発生する可能性がある。
【０００６】
そのため、コモンレール式燃料噴射装置を使用する際、製作時には各要素部品の清浄度管理の徹底が重要であるとともに、運用時には前記金属片や金属粉などが生じた場合であっても該金属片や金属粉がインジェクタに流入しない対策を実施する必要がある。
【０００７】
そこで、特許文献１には、燃料を噴射供給するインジェクタの内部に流入する燃料中に含まれる異物を除去するフィルタにおいて、磁力により異物を吸着する磁性体を有している燃料フィルタが開示されている。
【先行技術文献】
【特許文献】
【０００８】
【特許文献１】特開２００６−３３６５９４号公報
【発明の概要】
【発明が解決しようとする課題】
【０００９】
しかしながら、特許文献１に開示された技術においては、前記フィルタに捕集された金属片や金属粉、及びフィルタ付近に滞留した金属片や金属粉を前記磁性体によって吸着捕集できるものの、前記燃料とともに流動する金属片や金属粉を前記磁性体によって吸着捕集することは難しい。そのため、金属片や金属粉がインジェクタに侵入してしまう可能性がある。特に、前記フィルタで捕集できない細かな金属粉に関しては、燃料とともにインジェクタに侵入してしまう可能性が高い。
【００１０】
従って、本発明はかかる従来技術の問題に鑑み、高圧ポンプにより加圧された燃料を貯留するコモンレールと、該コモンレールに貯留された燃料を噴射するインジェクタと、前記高圧ポンプ及びインジェクタの動作を制御する制御装置を備えたコモンレール式燃料噴射装置において、前記インジェクタに侵入する金属片、金属粉などの異物量を削減することができるコモンレール式燃料噴射装置を提供することを目的とする。
【課題を解決するための手段】
【００１１】
上記課題を解決するため本発明においては、高圧ポンプにより加圧された高圧燃料を貯留するコモンレールと、該コモンレールに貯留された燃料をエンジンの燃焼室に噴射するインジェクタと、前記高圧ポンプ及びインジェクタの動作を制御する制御装置と、を備えたコモンレール式燃料噴射装置において、前記コモンレール中又はコモンレールからインジェクタに至る流路中であって、前記高圧燃料が滞留する位置に、磁力により異物を吸着する磁石体を有することを特徴とする。
【００１２】
これにより、前記燃料が滞留する位置では、燃料はよどみ状態となり、よどみ状態の燃料中で金属片や金属粉などの異物は浮遊する。従って、該燃料が滞留する位置に前記磁力により異物を吸着する磁石体を有することで、燃料中で浮遊する異物を吸着捕集しやすくなる。
なお、磁石体は、前記コモンレールに貼り付けるなどして取り付けることもでき、コモンレール又は前記流路の一部を磁石体で構成することもできる。
【００１３】
前記磁石体を前記コモンレールから取り外し可能な部品に有するとよい。
これにより、前記磁石体で吸着捕集した異物量が増えたときに、前記磁石体を取り外して掃除又は交換することができる。従って、前記磁石体に吸着捕集により蓄積される異物量が増えることに伴う異物の捕集効率の低下や一旦捕集した異物が磁石体から剥がれることを防止することができる。さらに、前記吸着捕集した異物を磁石体を取り外して掃除又は交換するだけで捕集した異物を除去することができるため、捕集した異物の除去が容易となりメンテナンス性の向上が図れる。
【００１４】
また、前記磁石体を前記コモンレールの長手方向端部に設けたプラグに取り付ける、又は該プラグを磁石体で形成するとよい。
前記プラグは、従来のコモンレール式燃料噴射装置にも一般的に存在するものであり、前記磁石体を取り付ける又は該プラグを磁石体とすることで、コモンレールから取り外し可能な部品の点数を増やすことなく本発明の実施が可能となる。
【００１５】
また、前記コモンレールとインジェクタとを接続する配管に、ケーシングと、該ケーシングに形成された燃料の流出口と、中空部を有し前記コモンレールから中空部へ流入した燃料の圧力を受けて前記ケーシング内を摺動する弁体と、前記ケーシング内に形成され前記弁体が着座可能な形状を有する弁座と、前記ケーシング内に配され前記弁体を前記弁座から遠ざける方向に押圧する弾性体と、前記弁体に設けられた前記中空部と前記流出口とを連通する連通孔とを有するフローリミッタを設け、前記フローリミッタの少なくとも一部を磁石体で形成するとよい。
【００１６】
前記フローリミッタの少なくとも一部を磁石体で形成することで、金属片や金属粉などの異物をフローリミッタで高効率で吸着捕集することができる。これにより、コモンレールとインジェクタとを接続する配管に設けたフローリミッタで異物を捕集することができるため、インジェクタ内部に侵入する異物量を大幅に低減することができる。
【００１７】
さらに、フローリミッタはコモンレールから取り外し交換が可能な部品であるため、連通孔の近傍で吸着捕集され蓄積された金属片や金属粉などの異物量が多くなったときに前記弁体やフローリミッタ全体の掃除又は交換が可能である。
さらに、磁石体に捕集される異物の増加に従い、該異物により連通孔の流路が狭くなり、インジェクタからの噴射性能が低下する。つまり、噴射性能の低下により磁石体に捕集された異物量を推測することができ、弁体又はフローリミッタの適切な掃除又は交換の時期を判断することができる。
【００１８】
また、前記弁体の連通孔を構成する部分を磁石体で形成するとよい。
これにより、連通孔近傍に集中して異物が捕集されるため、磁石体に捕集される異物量と、該異物により連通孔が狭くなることに起因する噴射性能の低下との相関性が高くなる。従って、弁体又はフローリミッタのより適切な掃除又は交換の時期を判断することができる。
【００１９】
また、前記コモンレールに貯留された高圧燃料の圧力と、前記インジェクタに供給される高圧燃料の圧力との差圧を測定する差圧計を設けるとよい。
前記磁石体により捕集した異物量が増加すると、該異物の存在によりコモンレールからインジェクタに至る前記高圧燃料の流路の流路面積が狭くなりインジェクタからの燃料の噴射性能が低下すると予想されるが、前記差圧計により前記流路の通過前後の高圧燃料の差圧を計測することで、前記噴射性能の低下の原因となる前記磁石体に捕集されて蓄積した異物量を推測することができる。従って、前記差圧計を設け、前記磁石体に捕集されて蓄積した異物量を推測することで、弁体又はフローリミッタなどの磁石体の適切な掃除又は交換の時期を判断することができる。
【発明の効果】
【００２０】
以上記載のごとく本発明によれば、高圧ポンプにより加圧された燃料を貯留するコモンレールと、該コモンレールに貯留された燃料を噴射するインジェクタと、前記高圧ポンプ及びインジェクタの動作を制御する制御装置を備えたコモンレール式燃料噴射装置において、前記インジェクタに侵入する金属片、金属粉などの異物量を削減することができる。
【図面の簡単な説明】
【００２１】
【図１】実施例１におけるコモンレール式燃料噴射装置の全体構成図である。
【図２】実施例１におけるコモンレールを構成するブロックの１つの平面図であって、一部を断面で示したものである。
【図３】図２におけるＡ方向正面図であり、一部を断面で示したものである。
【図４】実施例２におけるコモンレールを構成するブロックの１つの正面図であって、一部を断面で示したものである。
【図５】実施例３におけるフローリミッタの断面図である。
【図６】図５におけるＢ部拡大図である。
【発明を実施するための形態】
【００２２】
以下、図面を参照して本発明の好適な実施例を例示的に詳しく説明する。但しこの実施例に記載されている構成部品の寸法、材質、形状、その相対的配置等は特に特定的な記載がない限りは、この発明の範囲をそれに限定する趣旨ではなく、単なる説明例に過ぎない。
【実施例１】
【００２３】
まず、図１、図２及び図３を用いて実施例１におけるコモンレール式燃料噴射装置の全体構成について説明する。
図１は、実施例１におけるコモンレール式燃料噴射装置の全体構成図である。
【００２４】
図１に示すように、実施例１におけるコモンレール式燃料噴射装置は、燃料タンク１２、高圧ポンプ１０、コモンレール２、フローリミッタ４、インジェクタ６及びＥＣＵ１８等を備えて構成されるものである。
【００２５】
高圧ポンプ１０の吸入側は、低圧燃料配管１１により燃料タンク１２と接続されており、低圧燃料配管１１には燃料タンク１２側から順にフィードポンプ１４及びフィルタ１６が設けられている。
【００２６】
一方、高圧ポンプ１０の吐出側は、コモンレール２に接続されている。コモンレール２は、図１に示すとおり、３つのブロック２ａ、２ｂ、２ｃから構成されており、高圧ポンプ１０の吐出側は、ブロック２ａと接続されている。また、ブロック２ａとブロック２ｂは配管２３ｂで、ブロック２ａとブロック２ｃは配管２３ｃで接続されて、各ブロック２ａ、２ｂ、２ｃ間は流体（燃料）が自由に流通できるようになっている。なお、本実施例においては、コモンレール２は３つのブロック２ａ、２ｂ、２ｃから構成されているものであるが、後述するように高圧ポンプ１０により加圧された燃料を貯留することができるものであれば、１つ若しくは２つ又は４つ以上のブロックから構成されているものでもよい。
【００２７】
コモンレール２には、エンジンの気筒（不図示）に対応して設けられた１つ又は複数（図１においては６つ）のインジェクタ６が高圧燃料配管８により接続されている。本実施例１は、エンジンが６気筒であり、インジェクタ６をエンジンの気筒に対応して６つ設けた例を示している。
【００２８】
また、コモンレール２とインジェクタ６を接続する高圧燃料配管８には、それぞれフローリミッタ４が設けられている。フローリミッタ４は、コモンレール２とインジェクタ６とを連結する高圧燃料配管８からの燃料漏れや、インジェクタ６から過大な燃料噴射等が発生した場合に、高圧燃料配管８を遮断し、インジェクタ６への燃料の供給を停止するために設けられているものである。
【００２９】
また、インジェクタ６及び高圧ポンプ１０の動作を制御するためのＥＣＵ１８が設けられている。ＥＣＵ１８は、センサ（不図示）などにより検出されたエンジン回転数、アクセル開度、コモンレール２内の圧力等の出力情報に基づいてインジェクタ６からの燃料噴射量、噴射タイミング等を決定し、インジェクタ６及び高圧ポンプ１０の動作をフィードバック制御する。
【００３０】
図２は、実施例１におけるコモンレール２を構成するブロックの１つ（２ｃ）の平面図であって、一部を断面で示している。また、図３は、図２におけるＡ方向正面図であり、一部を断面で示している。
図２及び図３において、２１はコモンレール２のブロック２ｃへの燃料入口であって、図１に示したブロック２ａとブロック２ｃを接続する配管２３ｃのブロック２ｃとの接続部分に該当する。また、２２はブロック２ｃ内、即ちコモンレール２内の圧力を検知する圧力センサである。
【００３１】
コモンレール２を構成するブロック２ｃは内部に略円筒状の貯留空間２５が形成されており、高圧ポンプ１０によって圧送された高圧燃料は、貯留空間２５内に貯留される。
【００３２】
また、貯留空間２５の長手方向端部には、プラグ２３が設けられており、貯留空間２５は燃料入口２１及びフローリミッタ４を介して接続される高圧燃料配管８以外には燃料の流通がないように構成されている。なお、プラグ２３はコモンレール式燃料噴射装置全体の運転停止時には取り外し可能なものである。
【００３３】
さらに、本発明に特徴的な構成として、貯留空間２５の内周壁全面に磁石２４ａが貼り付けて取り付けている。
【００３４】
なお、図２及び図３においては、コモンレール２を構成するブロック２ｃについてのみ説明したが、コモンレール２を構成するブロック２ａ及び２ｂについてもブロック２ｃと同様に、内部に前記高圧燃料を貯留する略円筒状の貯留空間が形成され、該貯留空間の内周壁全面に磁石が貼り付けて取り付けられている。
【００３５】
次に、図１、図２及び図３を用いて実施例１におけるコモンレール式燃料噴射装置の動作について説明する。
【００３６】
燃料タンク１２内に貯留されている燃料は、フィードポンプ１４によって吸引される。フィードポンプ１４により吸引された燃料は、低圧燃料配管１１を介して高圧ポンプ１０へ送られる。高圧ポンプ１０に送られた燃料は、高圧ポンプ１０にて圧縮されて高圧化し、コモンレール２内に圧送される。
【００３７】
コモンレール２内に圧送された燃料は、コモンレール２内に高圧状態で貯留される。
コモンレール２内に貯留された高圧燃料は、ＥＣＵ１８の制御により、フローリミッタ４及び高圧燃料配管８を介して複数のインジェクタ６に分配される。インジェクタ６は、前記高圧燃料をＥＣＵ１８によって制御されるタイミングでエンジンの燃焼室（不図示）に噴射する。
以上の動作により、前記高圧燃料はＥＣＵ１８の制御により、エンジンの回転数に依存せずに燃料噴射の重要な要素である噴射圧力、燃料噴射量、噴射タイミング、噴射率などをそれぞれ独立に制御することが可能となる。
【００３８】
ここで、コモンレール２内に貯留される高圧燃料には、高圧ポンプ１０の摺動部での部品の剥がれや摩耗により発生する金属片や金属粉、燃料タンク１２内の錆びなどにより発生する金属片や金属粉などが混入している可能性がある。
【００３９】
この金属片や金属粉が混入している高圧燃料は、前述のようにＥＣＵ１８の制御によってインジェクタ６に分配されてエンジンの燃焼室に噴射されるまでの間は、コモンレール２内に貯留される。該貯留時においては、前記金属片や金属粉は貯留された高圧燃料中に浮遊して存在する。
【００４０】
コモンレール２内に貯留された高圧燃料中に浮遊して存在する金属片や金属粉は、コモンレール２の各ブロック２ａ、２ｂ、２ｃ内の貯留空間の内周壁全面に貼り付けて取り付けられた磁石に引き寄せられて吸着捕集される。特に、本発明においては、磁石を高圧燃料が滞留するコモンレール２の貯留空間２５内に設けたため、磁石による前記金属片や金属粉の回収効率が高い。
これにより、高圧燃料配管８を通過してインジェクタ６内部に侵入する異物量を大幅に削減することができる。
【実施例２】
【００４１】
実施例２におけるコモンレール式燃料噴射装置の全体構成は、実施例１で図１を用いて説明したコモンレール式燃料噴射装置と同様であるため、図１を実施例２におけるコモンレール式燃料噴射装置の全体構成図として流用し、その説明を省略する。
【００４２】
図４は、実施例２におけるコモンレール２を構成するブロックの１つ（２ｃ）の正面図であり、一部を断面で示している。なお、図４において、図１〜図３と同一符号は同一物を表しており、その説明を省略する。
【００４３】
図４においては、図３に示した磁石２４ａに替えて、プラグ２３の貯留空間２５と対向する面の全体に磁石２４ｂが貼り付けて取り付けられている。
プラグ２３は、貯留空間２５の長手方向端部に設けられているものであるから、磁石２４ｂは、貯留空間２５の長手方向端部に設けられることとなる。
【００４４】
なお、図４においては、コモンレール２を構成するブロック２ｃについてのみ説明したが、コモンレール２を構成するブロック２ａ及び２ｂについてもブロック２ｃと同様に、貯留空間２５の長手方向端部に設けられたプラグの貯留空間２５と対面する面の全体に磁石が貼り付けて取り付けられている。
【００４５】
磁石２４ｂを設けることにより、コモンレール２内に貯留された高圧燃料中に浮遊して存在する金属片や金属粉は、コモンレール２の各ブロック２ａ、２ｂ、２ｃの貯留空間の長手方向端部設けたプラグに貼り付けて取り付けられた磁石２４ｂに引き寄せられて吸着捕集される。特に、該磁石２４ｂは、高圧燃料が滞留するコモンレール２の貯留空間２５内に位置するため、磁石による前記金属片や金属粉の回収効率が高い。
これにより、高圧燃料配管８を通過してインジェクタ６内部に侵入する異物量を大幅に削減することができる。
【００４６】
さらに、磁石２４ｂがコモンレール２から取り外し可能なプラグ２３に貼り付けて取り付けられている。そのため、プラグ２３を取り外し磁石２４ｂに吸着捕集され蓄積された金属片や金属粉などの異物を、磁石２４ｂから取り除くことが可能である。磁石２４ｂで回収した前記金属片や金属粉などの異物量が多くなったときに、プラグ２３を取り外して磁石２４ｂに蓄積された金属片や金属粉を取り除くことで、磁石２４ｂに蓄積された金属片や金属粉が磁石２４ｂから離れて高圧燃料配管８を通過してインジェクタ６内部に侵入することを防ぐことができる。さらに、前記プラグ２３を取り外すだけで、磁石２４ｂを掃除又は交換して捕集した異物を除去することができるため、捕集した異物の除去が容易である。
【００４７】
なお、本実施例２においては、磁石２４ｂをプラグ２３に貼り付けて取り付けたが、プラグ２３自体を磁石体で形成しても同様の効果が得られる。
【実施例３】
【００４８】
図５は、実施例３におけるフローリミッタ４の断面図である。
フローリミッタ４は、図５に示すように、ケーシング４１、ケーシング４１に形成されフローリミッタ内部の燃料を高圧燃料配管８へ導く流出口４２、ケーシング４１内部に収納されコモンレール２から中空部４７へ流入した燃料の圧力を受けて摺動する弁体４３、ケーシング４１内に形成され弁体４３が着座可能な形状を有する弁座４４、ケーシング４１内に配され弁体４３を弁座４４から遠ざける方向に押圧するバネ４５を備えて構成されている。
【００４９】
弁体４３は、先端部が弁座４４に嵌合可能な形状に形成されている。また、弁体４３の中空部４７の先端部寄りの部分に、中空部４７と弁体４３外側の空間とを連通させる連通孔４６が穿設されている。
【００５０】
フローリミッタ４では、コモンレール２からの高圧燃料が中空部４７に流入すると、該高圧燃料が、弁体４３をバネ４５の押圧力に抗して弁座４４方向に移動させ、中空部４７から連通孔４６を通り流出口４２、高圧燃料配管８を経てインジェクタ６に流入する。
【００５１】
フローリミッタ４においては、コモンレール２から供給される燃料の供給がないか、極少量であるときには、図５に示したように弁体４３は座部４８に接した状態となっている。
また、コモンレール２から供給される燃料の圧力が所定値以上となったときには、弁体４３の先端が弁座４４に嵌合して着座し、インジェクタ６への燃料供給が停止されるようになっている。
【００５２】
上記構成のフローリミッタ４において、本発明の特徴的な構成として、弁体４３を磁石体で形成している。
【００５３】
図６は、図５におけるＢ部拡大図である。図６に示すように、弁体４３を磁石体で形成することで、前記金属片や金属粉などの異物１００を連通孔４６の近傍で高効率で吸着捕集することができ、高圧燃料配管８を通過してインジェクタ６内部に侵入する異物量を大幅に削減することができる。
【００５４】
さらに、フローリミッタ４はコモンレール２から取り外し交換が可能な部品である。そのため、連通孔４６の近傍で吸着捕集され蓄積された金属片や金属粉などの異物１００の量が多くなり、燃料の流れが阻害されて噴射性能が悪化した場合、コモンレール２からフローリミッタ４を交換すれば噴射性能を回復できる。また、一旦捕集した異物１００が高圧燃料の流れとともに高圧燃料配管８を通過してインジェクタ６内部に侵入してしまうことを防止することができる。また、前記フローリミッタ４を交換するだけで捕集した異物を除去することができるため、捕集した異物の除去が容易である。
【００５５】
また、図６に示したような連通孔４６の近傍で捕集される異物の増加に従い、該異物により連通孔４６の流路が狭くなり、インジェクタからの噴射性能が低下する。つまり、弁体４６を磁石体とすることで噴射性能の低下により磁石体に捕集された異物量を推測することができ、弁体又はフローリミッタの適切な交換の時期を判断することができる。なお、弁体４３全体ではなく、弁体４３のうち連通孔４６を形成する部分のみ磁石体としておくと、前記金属片や金属粉などの異物は連通孔４６近傍に集中して捕集されるため、磁石体に捕集される異物量と、該異物により連通孔が狭くなることに起因する噴射性能の低下との相関性が高くなる。従って、弁体又はフローリミッタのより適切な交換の時期を判断することができる。
【００５６】
さらに、図１に示したように、インジェクタ４に供給される高圧燃料の圧力と、コモンレール２内の高圧燃料の圧力との差圧を計測可能な差圧計３０を設けることができる。連通孔４６近傍に捕集した異物１００の量が増加すると、異物１００の存在により連通孔４６を通過する燃料の流路面積が狭くなりインジェクタ６からの燃料の噴射性能が低下すると予想される。
そこで、前記差圧計により連通孔４６の通過前後の高圧燃料の差圧を計測することで、連通孔４６近傍に蓄積した異物１００の量を推測することができる。
【００５７】
前記差圧計を設け、異物１００の量を推測することで、フローリミッタ４の適切な交換時期を判断することができる。
また、差圧計３０によって計測される差圧値をＥＣＵ１８に取り込み、該差圧値が一定値を超えたときにＥＣＵ１８からの指示により警報（不図示）を発するようにすることで、前記交換時期を確実に知らせることができる。
なお、前記差圧計は、コモンレール２に貯留された高圧燃料の圧力とインジェクタに供給される高圧燃料の圧力との差圧を測定するものとして、本実施例３のみならず、実施例１及び実施例２に係る実施形態においても同様に適用することができる。
【００５８】
なお、図５及び図６を用いて示した実施例３に係る実施形態は、単独で実施することもできるが、実施例１に係る実施形態又は実施例２に係る実施形態と併せて使用することもできる。
【産業上の利用可能性】
【００５９】
高圧ポンプにより加圧された燃料を貯留するコモンレールと、該コモンレールに貯留された燃料を噴射するインジェクタと、前記高圧ポンプ及びインジェクタの動作を制御する制御装置を備えたコモンレール式燃料噴射装置において、前記インジェクタに侵入する金属片、金属粉などの異物量を削減することができるコモンレール式燃料噴射装置として利用することができる。
【符号の説明】
【００６０】
２  コモンレール
４  フローリミッタ
６  インジェクタ
８  高圧燃料配管（コモンレールからインジェクタに至る流路）
１０  高圧ポンプ
１２  燃料タンク
１８  ＥＣＵ（制御装置）
２３  プラグ
２４ａ、２４ｂ  磁石
４１  ケーシング
４２  流出口
４３  弁体
４４  弁座
４５  バネ
４６  連通孔
４７  中空部
【図１】
2011127552.tif 000003
【図２】
2011127552.tif 000004
【図３】
2011127552.tif 000005
【図４】
2011127552.tif 000006
【図５】
2011127552.tif 000007
【図６】
2011127552.tif 000008